(57)【要約】【課題】  サムターン回しを防止するサムターン装置の提供。【解決手段】  サムターン装置２は、サムターン軸２２を有する装置本体２０に、チェーン２３を介してツマミ１４が着脱可能に設けられる。ツマミ１４は、チェーン２３を介してサムターン軸２２の基端部に保持される。ツマミ１４の先端部には凸部３４が形成されていると共に磁石３７が取り付けられている。サムターン軸２２の基端部には凹部３５が形成されている共に、前記磁石３７に吸着する皿ネジ３６が設けられている。ツマミ１４の凸部３４と、サムターン軸２２の凹部３５とは互いに係脱可能とされる。【選択図】      図３
2005315032.tif 000002
【特許請求の範囲】
【請求項１】
ツマミの回転操作によりサムターン軸を回転させ、そのサムターン軸の回転動作でデッドボルトを進退させるサムターン装置であって、
前記サムターン軸を有する装置本体と、この装置本体に対して着脱可能なツマミとからなり、
前記ツマミが接続部材を介して前記装置本体に連結された
ことを特徴とするサムターン装置。
【請求項２】
前記ツマミの先端部は、前記サムターン軸の基端部に、着脱可能に磁着されると共に係合される
ことを特徴とする請求項１に記載のサムターン装置。
【請求項３】
前記サムターン軸の基端部およびツマミの先端部には、それぞれ保持部材が設けられており、
前記接続部材は、その両端部に前記各保持部材が設けられるチェーンとされ、
少なくとも一方の保持部材は、サムターン軸またはツマミに対し回転可能にはめ込まれた
ことを特徴とする請求項１または請求項２に記載のサムターン装置。
【請求項４】
前記サムターン軸の基端部に、前記ツマミの先端部と係合可能な凹部が形成されており、
この凹部の基端部は、ツマミの先端部より大径の円錐状穴に形成されている
ことを特徴とする請求項１から請求項３までのいずれかに記載のサムターン装置。
【請求項５】
請求項１から請求項４までのいずれかに記載のサムターン装置が備えられた扉錠。
【発明の詳細な説明】
【技術分野】
【０００１】
本発明は、不正な解錠を防止できるサムターン装置と、それを備えた扉錠に関するものである。
【背景技術】
【０００２】
一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。
【発明の開示】
【発明が解決しようとする課題】
【０００３】
本発明が解決しようとする課題は、いわゆるサムターン回しを有効に防止するサムターン装置を提供することにある。
【課題を解決するための手段】
【０００４】
この発明は、前記課題を解決するためになされたものであり、請求項１に記載の発明は、ツマミの回転操作によりサムターン軸を回転させ、そのサムターン軸の回転動作でデッドボルトを進退させるサムターン装置であって、前記サムターン軸を有する装置本体と、この装置本体に対して着脱可能なツマミとからなり、前記ツマミが接続部材を介して前記装置本体に連結されたことを特徴とする。
【０００５】
請求項１に記載の発明によれば、サムターン軸からツマミが着脱可能であるから、外出時にサムターン軸からツマミを取り外しておくことで、室外側から不正にツマミを回転させることができず、サムターン回しを有効に防止できる。また、仮にツマミを付けたまま施錠して外出しても、不正解錠時には、ツマミを脱落させてサムターン回しを防止できる。その上、本発明では、装置本体とツマミとを、チェーンや紐などの接続部材で連結しているので、サムターン軸から取り外したツマミを紛失することがなく、また災害緊急時の対応も容易となる。
【０００６】
請求項２に記載の発明は、請求項１に記載の構成要件に加えて、前記ツマミの先端部は、前記サムターン軸の基端部に、着脱可能に磁着されると共に係合されることを特徴とする。
【０００７】
請求項２に記載の発明によれば、ツマミの先端部がサムターン軸の基端部に磁着され且つ係合されるので、ツマミとサムターン軸とを一旦適正位置で係合すれば、ツマミから手を離しても、通常の使用状態におけるツマミの脱落を防止できる。
【０００８】
請求項３に記載の発明は、請求項１または請求項２に記載の構成要件に加えて、前記サムターン軸の基端部およびツマミの先端部には、それぞれ保持部材が設けられており、前記接続部材は、その両端部に前記各保持部材が設けられるチェーンとされ、少なくとも一方の保持部材は、サムターン軸またはツマミに対し回転可能にはめ込まれたことを特徴とする。
【０００９】
請求項３に記載の発明によれば、サムターン軸基端部および／またはツマミ先端部に、保持部材を介してチェーンの端部を軸まわりに回転可能に取り付けることで、サムターン軸の基端部にツマミの先端部を係合してツマミを回転させても、サムターン軸やツマミと前記保持部材との相対回転により、チェーンが絡まって邪魔になることがない。また、サムターン軸基端部とツマミ先端部同士をチェーンにより連結することで、施解錠時の操作性がよい。
【００１０】
請求項４に記載の発明は、請求項１から請求項３までのいずれかに記載の構成要件に加えて、前記サムターン軸の基端部に、前記ツマミの先端部と係合可能な凹部が形成されており、この凹部の基端部は、ツマミの先端部より大径の円錐状穴に形成されていることを特徴とする。
【００１１】
請求項４に記載の発明によれば、ツマミの先端部が係合されるサムターン軸の基端部をすり鉢状の円錐状穴に形成しておくことで、サムターン軸にツマミが取り付けられている状態で不正解錠しようとすれば、ツマミが傾いて脱落し易くなり、あるいは脱落することで、不正解錠を有効に防止する。特に、円錐状面に形成することで、不正解錠手段の針金先端部などが引っ掛かる角部を無くして、不正解錠を一層困難なものとできる。一方、通常（正常）の使用時には、サムターン軸へのツマミの取り付けを容易にできる。
【００１２】
さらに、請求項５に記載の発明は、請求項１から請求項４までのいずれかに記載のサムターン装置が備えられた扉錠である。
【００１３】
請求項５に記載の発明によれば、請求項１から請求項４までのいずれかに記載の発明の前記作用効果を扉錠や扉に付与することができる。
【発明の効果】
【００１４】
本発明のサムターン装置によれば、サムターン装置からツマミを外しておくことができるので、扉にあけた穴から針金や紐等によって不正解錠しようとしてもサムターン軸を解錠方向に回転させることはできない。また、サムターン軸にツマミを付けたままでも、不正解錠しようとすると、サムターン装置からツマミが外れてしまうので、サムターン軸を解錠方向に回転させることができない。よって、いわゆるサムターン回しを有効に防止することができる。しかも、サムターン軸とツマミとは、チェーンなどの接続部材により連結されているので、ツマミを紛失することがなく、また災害時の対応も容易となる。
【発明を実施するための最良の形態】
【００１５】
以下、本発明のサムターン装置について、実施例に基づき更に詳細に説明する。
図１は、本発明のサムターン装置を備えた扉錠の縦断面図である。また、図２は、図１の扉錠の平面図である。
【００１６】
扉錠１は、従来公知の構造に、本発明のサムターン装置２が適用されて構成される。ここでは、彫込錠を例に説明するが、面付錠など、その他の錠にも適用可能である。
【００１７】
扉錠１は、その錠ケース３が扉４の戸先側端部の上下方向略中央部に取り付けられる。その際、図１に示すように、錠ケース３の一側端面に設けられたフロント裏板５が、扉４の戸先側端面に配置され、第一取付ネジ６，６により扉４に固定される。そして、フロント裏板５にフロント板７が重ね合わされて、第二取付ネジ８，８により固定される。
【００１８】
錠ケース３には、扉４を施解錠するデッドボルト９が設けられる。デッドボルト９は、錠ケース３の戸先側端面から出没可能に設けられる。デッドボルト９を出没させるためのハブ１０やクリックモーション用バネ１１などの出没操作機構は、錠ケース３に内蔵されている。錠ケース３には、ハブ取付部材１２が固定されており、このハブ取付部材１２にハブ１０が回転自在に保持される。
【００１９】
デッドボルト９の出没（前進または後退）は、図２に示すように、錠ケース３に連結するように取り付けられる室内側のサムターン装置２、または室外側のシリンダー錠１３を介してなされる。すなわち、サムターン装置２のツマミ１４の操作、またはシリンダー錠１３の鍵（不図示）の操作により、ハブ１０を回転させてデッドボルト９を進退させることができる。
【００２０】
図１に示すように、錠ケース３には、扉面と沿う壁面１５に、デッドボルト９の出没方向に沿って細長い案内穴１６が形成されている。そして、この案内穴１６には、デッドボルト９の後部に固定したピン１７が、案内穴１６に沿ってスライド可能に設けられる。一方、デッドボルト９の後方上部には、凹溝状の被係合部１８が形成されている。従って、この被係合部１８に、ハブ１０の凸状係合部１９を係合するか否かにより、デッドボルト９の戸先側端面からの出没が切り替えられる。
【００２１】
図３は、本実施例のサムターン装置２を示す斜視図であり、装置本体２０からツマミ１４を取り外した状態を示している。また、図４（ａ）は、そのようなサムターン装置２の正面図、図４（ｂ）はその右側面図であり、装置本体２０を縦断面にして示している。さらに、図５は、装置本体２０にツマミ１４を取り付けた状態の右側面図である。
【００２２】
これらの図に示すように、本実施例のサムターン装置２は、サムターン軸２２を有する装置本体２０に、チェーン２３を介してツマミ１４が着脱可能に設けられる。本実施例の装置本体２０は、前記ハブ１０に先端部が接続されるサムターン軸２２と、このサムターン軸２２を回転自在に軸受するサムターン胴２４と、このサムターン胴２４の外周部に配置されるサムターンカラー２５とを主要部として備える。そして、ツマミ１４は、チェーン２３を介してサムターン軸２２の基端部に保持され、且つツマミ１４先端部がサムターン軸２２基端部に係脱可能とされる。
【００２３】
図６は、本実施例のサムターン軸２２を示す図であり、（ａ）は正面図、（ｂ）は右側面図、（ｃ）はその一部断面図である。この図に示すように、サムターン軸２２は、丸棒状であり、その基端部には径方向外側に拡径して、段付きの頭部２６，２７が形成されている。この頭部は、基端側が大径の第一頭部２６とされ、先端側がやや小径の第二頭部２７とされている。
【００２４】
サムターン軸２２の先端部２８は、断面十字状に形成されている。そして、この十字状の先端部２８が、図１に示すように、ハブ１０に形成されたハブ穴２９に挿入される。ハブ穴２９の内周面には突出部３０，３０が形成されており、サムターン軸２２の先端部２８はハブ穴２９に回転方向に対して遊びがない状態ではめ込まれる。従って、ツマミ１４によりサムターン軸２２を回すと、サムターン軸２２の先端部２８がハブ１０を作動して、デッドボルト９を進退させることができる。なお、サムターン軸２２には、頭部２６，２７からやや先端側の位置に、周方向に沿って円環状に凹溝３１が形成されており、この凹溝３１には、後述するように、止め輪３２がはめ込み可能とされる。
【００２５】
サムターン軸２２の基端面中央には、基端側に開口して、先端側へ行くに従って縮径する円錐台形状ですり鉢状のテーパ穴３３が形成されている。このテーパ穴３３には、後述するツマミ１４先端部の凸部３４が係合可能な凹部３５が形成されている。本実施例の凹部３５は、図３および図６に示すように、前記テーパ穴３３の側周面の一部を切り欠くように、サムターン軸２２の直径方向に沿った二方向に、それぞれ略半円形状に切り欠かれて形成されている。これにより、角部が丸められた略菱形形状の凹部３５が形成される。
【００２６】
図６（ａ）に示されるように、略菱形形状の凹部３５は、その長手方向幅寸法が、テーパ穴３３の大径寸法程度に設定されている。ところで、図３および図６に示すように、テーパ穴３３の底部（凹部３５の底面）には、サムターン軸２２の軸方向に沿ってネジ３６がねじ込まれている。このネジ３６は、頭部が平たい皿ネジとされ、例えば強磁性体の鉄などの磁石に吸着する金属製である。そして、このネジ３６は、その頭部が前記凹部３５の底面から若干突出して露出されて配置され、後述するツマミ１４の磁石３７への吸着部とされる。
【００２７】
このような構成のサムターン軸２２は、図４に示すように、サムターン胴２４に回転自在に設けられる。サムターン胴２４は、円柱形状とされ、その軸心と偏心して段付穴３８，３９が軸方向に貫通して形成されている。この段付穴は、先端側が小径穴３８、基端側が大径穴３９とされている。そして、この段付き穴３８，３９にサムターン軸２２が差し込まれて回転自在に保持される。すなわち、サムターン軸２２は、先端部２８が前記ハブ１０のハブ穴２９に保持される一方、基端部がキャップ４０を介してサムターン胴２４に保持される。
【００２８】
図７は、サムターン胴２４へのサムターン軸２２の保持構造を示す分解断面図である。
サムターン軸２２の基端部の凹部３５には、上述したように、皿ネジ３６がねじ込まれて固定される。そして、サムターン軸２２には、保護リング４１、保持部材４２、ワッシャ４３、キャップ４０、スペーサ４５、および止め輪３２が順に設けられる。
【００２９】
保護リング４１は、基端側に開口した筒形状で、その内径は、サムターン軸２２の第一頭部２６の外径に対応している。また、先端壁４６の中央部には、円形穴４６ａが貫通形成されている。この先端壁４６の厚さは、サムターン軸２２の第二頭部２７の軸方向寸法より小さく、且つその円形穴４６ａの内径は、前記第二頭部２７の外径に対応している。このような保護リング４１は、前記円形穴４６ａがサムターン軸２２の第二頭部２７にはめ込まれ、筒状部でサムターン軸２２の第一頭部２６の周側面を覆うように設けられる。この際、保護リング４１の基端面は、サムターン軸２２の基端面と面一とされる。
【００３０】
図８は、保持部材４２を示す図であり、（ａ）は正面図、（ｂ）はＡ−Ａ断面図、（ｃ）は底面図である。
保持部材４２は、中央に丸穴４２ａが形成された円板形状の本体部４２ｂを備え、その本体部４２ｂの周方向一部には、径方向外側への延出部４２ｃが一体形成されている。この延出部４２ｃは、側面視で略Ｕ字形状に、その開口部を先端側へ向けて屈曲されており、チェーン２３への連結部とされる。連結部４２ｃの先端部は、本体部４２ｂの先端面とほぼ同一面上に配置される。
【００３１】
保持部材４２の本体部４２ｂの中央に形成された丸穴４２ａは、サムターン軸２２の第二頭部２７の外径に対応した大きさとされる。また、この丸穴４２ａと連続して、連結部４２ｃの幅方向中央にも、細長い溝４２ｄが中途まで形成されている。この溝４２ｄは、Ｕ字形状部４２ｃの屈曲頂部よりやや先端側まで延出して形成されている。この溝４２ｄの幅は、後述するボールチェーン２３のボール２３ａより小さく、ボール２３ａ，２３ａ間のコネクタ２３ｂは通る大きさとされる。また、Ｕ字形状の連結部４２ｃ内には、ボールチェーン２３のボール２３ａが一つ収容可能とされる。このような形状の保持部材４２は、本実施例では、円環状部から直線状部が延出する鍵穴形状の金属板を形成すると共に、その直線状部を略Ｕ字形状にプレス成形して形成される。
【００３２】
保持部材４２は、その連結部４２ｃにボールチェーン２３の一端部が取り付けられた状態でサムターン軸２２の第二頭部２７に通されて保持される。その際、保持部材４２は、図３および図４に示すように、本体部４２ｂの下方に連結部４２ｃを配置するのがよい。
【００３３】
ボールチェーン２３は、球状のボール２３ａ，２３ａ…を数珠繋ぎしたチェーンである。具体的には、球状のボール２３ａと線状のコネクタ２３ｂとが交互に連結されたチェーンである。隣接するボール２３ａとコネクタ２３ｂとは、互いに回転自在に保持される。
【００３４】
保持部材４２にボールチェーン２３を取り付ける際には、まず、ボールチェーン２３の一端の一のボール２３ａを基端側から保持部材４２の本体部４２ｂの穴４２ａに通せばよい。その一端のボール２３ａと、このボール２３ａに隣接する次のボール２３ａとの間で連結部４２ｃの板材を挟むようにして、これらボール２３ａ，２３ａ間に設けられるコネクタ２３ｂを連結部４２ｃの溝４２ｄに沿って下方へ移動させればよい。これにより、ボールチェーン２３は、その一端のボール２３ａが、保持部材４２の連結部４２ｃのＵ字状部に収容された状態で、保持部材４２につり下げられた状態で保持される。そして、そのようにしてボールチェーン２３を取り付けた後、保持部材４２はサムターン軸２２の先端側から第二頭部２７にはめ込まれる。
【００３５】
ワッシャ４３は、ナイロン樹脂製の薄い円板形状であり、その中央には、円形の穴が軸方向に貫通して形成されている。このワッシャ４３は、保持部材４２の本体部４２ｂの先端側に重ね合わされるように、サムターン軸２２の軸部の基端部に配置され、第二頭部２７の基端面に重ね合わされる。
【００３６】
このように、保護リング４１、保持部材４２およびワッシャ４３が通されたサムターン軸２２は、キャップ４０に通される。キャップ４０は、サムターン胴２４の基端面に重ね合わされる円板部４０ａと、この円板部４０ａの外周端部から先端側へ突出する円筒部４０ｂとからなる。円板部４０ａには、サムターン胴２４の段付穴３８，３９に対応した位置に筒部４０ｃが形成されている。この筒部４０ｃの内径は、サムターン胴２４の大径穴３９より小径とされると共に、サムターン軸２２の軸部に対応した径とされている。このような構成のキャップ４０の筒部４０ｃに、サムターン軸２２が先端側から差し込まれる。
【００３７】
サムターン軸２２が通されたキャップ４０の筒部４０ｃの外周部には、スペーサ４５がはめ込まれる。このスペーサ４５は、円筒形状であり、その軸方向長さは、キャップ４０の筒部４０ｃより若干長い。そして、キャップ４０の筒部４０ｃにスペーサ４５がはめ込まれた状態で、サムターン軸２２の円環状凹溝３１に略Ｃ字形状の止め輪３２がはめ込まれる。これにより、スペーサ４５は、基端面がキャップ４０の円板部４０ａに当接される一方、基端面が止め輪３２に当接されて、軸方向移動が規制される。これにより、サムターン軸２２は、キャップ４０の筒部４０ｃに、軸方向に移動不能で、且つ回転自在に保持される。また、保持部材４２は、その円形状の本体部４２ｂが、サムターン軸２２の第一頭部２６とキャップ４０の基端面とに挟まれた状態で位置決めされ、サムターン軸２２に保持される。
【００３８】
そして、サムターン軸２２が取り付けられたキャップ４０は、サムターン胴２４の基端面および基端部の外周面を覆うようにはめ込まれて、サムターン胴２４にネジ４７にて固定される。この際、上述したように、サムターン軸２２の先端部がハブ１０に差し込まれる。また、この取付状態では、サムターン軸２２の頭部２６，２７は、サムターン胴２４の基端部から外方へ露出し、前記保持部材４２およびチェーン２３がサムターン胴２４（キャップ４０）の基端面に沿って配置される。
【００３９】
サムターン胴２４の周囲には、筒状のサムターンカラー２５が設けられる。このサムターンカラー２５は、サムターン胴２４との間に配置されたコイルバネ４８により、扉４側に付勢された状態で取り付けられている。これにより、サムターンカラー２５は、軸方向に移動可能であり、コイルバネ４８の伸縮を利用して扉４の厚さの変化に対応することが可能とされる。つまり、コイルバネ４８の付勢力で扉面に当接して、扉４との隙間が埋められる。
【００４０】
前記ボールチェーン２３の他端部には、ツマミ１４が取り付けられる。このツマミ１４の先端部３４は、サムターン軸２２の基端部の凹部３５に着脱可能に設けられる。図９は、サムターン軸２２基端部とツマミ１４先端部とを示す部分断面図であり、（ａ）はツマミ１４をサムターン軸２２から取り外した状態、（ｂ）はツマミ１４をサムターン軸２２へ取り付けた状態を示している。
【００４１】
図３に示すように、ツマミ１４は、回転操作される際に摘まれる操作部４９と、この操作部４９に固定されるマグネットホルダー５０とを主要部として備える。
図１０は、本実施例のツマミ１４の操作部４９を示す図であり、（ａ）は正面図、（ｂ）は右側面図、（ｃ）は背面図、（ｄ）は底面図、（ｅ）はＢ−Ｂ断面図、（ｆ）はＣ−Ｃ断面図である。この図に示すように、操作部４９は、側面視において、先端側へ行くに従ってやや縮幅する台形状とされ、その基端部は半円形状に形成されている。また、操作部４９の基端部外周面には、周方向に沿って後述するカバー５１がはめ込まれる取付溝４９ａが形成されている。そして、取付溝４９ａの中央部から先端側へ軸方向に沿って、カバー５１の脚部５１ａ，５１ａが差し込まれる断面四角形状の穴４９ｂが形成されている。その穴４９ｂの先端部４９ｃは、上下方向外側へ若干拡幅している。
また、底面図において操作部４９の上下部は平坦状に形成されているが、この部分を曲面状に膨らませた形状に形成することによって、不正解錠（操作）をし難くなる効果が得られる。
【００４２】
また、その穴４９ｂに開口するように、操作部４９の先端面中央から基端側へ軸方向に沿って、円形の段付穴４９ｄ，４９ｅが形成されている。この段付穴の先端側大径穴４９ｄの基端部には、径方向に対向した位置に、径方向内側へ突出する一対の凸部４９ｆ，４９ｆが軸方向に沿って形成されている。すなわち、先端側大径穴４９ｄの基端部には、中心を挟んだ対称位置に、軸方向に沿って径方向内側へ突出する一対の凸部４９ｆ，４９ｆが形成されている。
【００４３】
図１１は、本実施例のカバー５１を示す図であり、（ａ）は正面図、（ｂ）は右側面図である。この図に示すように、操作部４９の基端部に取り付けられるカバー５１は、半円弧状の本体５１ｂと、この本体５１ｂから先端側へ延出する二本の脚部５１ａ，５１ａとを備える。各脚部５１ａの先端部５１ｃは、略三角形状に外方へ突出している。
【００４４】
カバー５１は、二本の脚部５１ａを互いに近接する方向に弾性変形させた状態で、操作部４９の基端部に形成された穴４９ｂに無理ばめされ、先端側へ押し込まれる。そして、二本の脚部５１ａが、穴４９ｂの先端部に形成された前記拡幅部４９ｃで拡がって操作部４９にカバー５１が係合され一体化される。なお、カバー５１の外周面には、蓄光塗料や蛍光塗料を塗布したり、蓄光テープや蛍光テープを貼着するのが好ましい。これにより、暗い所でのツマミ１４の場所確認や操作を容易にする。
【００４５】
図１２は、マグネットホルダー５０を示す図であり、（ａ）は正面図、（ｂ）は左側面図、（ｃ）は右側面図、（ｄ）は平面図である。マグネットホルダー５０は、ツマミ１４の操作部４９の先端部に形成された段付穴の先端側大径穴４９ｄに装着される。マグネットホルダー５０は、前記ツマミ１４の段付穴の先端側大径穴４９ｄへの差込部５０ａが略円柱形状とされ、その差込部５０ａの先端部には、径方向外側へ突出して凸部３４が形成されている。本実施例の凸部３４は、直径方向両端部からそれぞれ略半円形状に径方向外側へ延出しており、全体として角が丸められた略菱形に形成されている。また、差込部５０ａの基端部外周面には、径方向に対向した位置に、前記ツマミ１４の先端側大径穴４９ｄの基端部に形成された凸部４９ｆに対応した略四角形状の凹部５０ｂが形成されている。
【００４６】
マグネットホルダー５０の中央には、軸方向に沿って段付穴５０ｃ，５０ｄが形成されている。この段付穴は、先端側が大径穴５０ｃとされ、この大径穴５０ｃには、図３に示すように、円柱形状の磁石３７がはめ込まれる。この磁石３７はマグネットホルダー５０の先端面より若干外方へ突出した状態で、先端側大径穴５０ｃにはめ込まれて固定される。
【００４７】
マグネットホルダー５０は、差込部５０ａに保持部材５２が通された状態で、段付穴の先端側大径穴４９ｄに差し込まれる。そして、ツマミ１４の操作部４９の基端部に形成された穴４９ｂ，４９ｅからネジが差し込まれ、マグネットホルダー５０の基端小径穴５０ｄにねじ込まれる。これにより、操作部４９とマグネットホルダー５０とが一体化される。
【００４８】
図１３は、ツマミ側の保持部材５２を示す図であり、（ａ）は正面図、（ｂ）は左側面図、（ｃ）は底面図である。この図に示すように、マグネットホルダー５０の差込部５０ａに通されるツマミ側の保持部材５２は、サムターン軸側の保持部材４２とほぼ同形状である。すなわち、保持部材４２は、丸穴が形成された円板形状の本体部５２ａを備え、その本体部５２ａの周方向一部から径方向外側へ延出部５２ｂが形成されており、その延出部５２ｂは略Ｕ字形状に屈曲されて連結部が形成されている。なお、連結部５２ｂの先端部は、本体部５２ａの板面と略同一面に配置される。
【００４９】
保持部材５２の本体部５２ａの中央に形成された前記丸穴５２ｃは、マグネットホルダー５０の差込部５０ａに対応した径とされる。さらに、その丸穴５２ｃと連続して、連結部５２ｂの幅方向中央にも厚さ方向に貫通して溝５２ｄが中途まで形成されている。この溝５２ｄの幅は、ボールチェーン２３のボール２３ａより小さく、コネクタ２３ｂが通る大きさとされる。また、Ｕ字状部５２ｂ内には、ボールチェーン２３のボール２３ａが一つ収容可能とされている。
【００５０】
このようなツマミ側保持部材５２も、サムターン軸側保持部材４２と同様に、金属板をプレス成形して形成される。そして、この保持部材５２に、サムターン軸２２に連結されたボールチェーン２３の他端部が取り付けられる。この取付方法も、サムターン軸２２側の保持部材４２と同様であり、予めボールチェーン２３の他端部のボール２３ａをＵ字形状部５２ｂへ配置してから、本体部５２ａ部をマグネットホルダー５０の凸部３４と操作部４９先端面との間に配置すればよい。
【００５１】
このような構成のツマミ１４は、その凸部３４がサムターン軸２２の凹部３５に差し込まれて、従来のように、施解錠の際に左右いずれかの方向へ９０度回転操作される。上述したように、ツマミ１４の凸部３４には磁石３７が設けられており、サムターン軸２２の基端部には磁石に磁着されるネジ３６が設けられている。従って、ツマミ１４の凸部３４がサムターン軸２２の凹部３５に差し込まれた際には、ツマミ１４とサムターン軸２２とは磁力により互いに引き付けられる。これにより、ツマミ１４から手を離してもその差込状態は維持されて、勝手な脱落が防止されると共に、ツマミ１４の回転操作を容易且つ確実に行うことができる。
【００５２】
本実施例のサムターン装置２は、ツマミ１４がサムターン軸２２に着脱可能に取り付けられる。従って、本実施例のサムターン装置２は、外出時に予めツマミ１４を取り外しておくことで、いわゆるサムターン回しによる不正解錠を防止することが可能である。すなわち、例えば外出時に、図３に示すように、ツマミ１４をサムターン軸２２から取り外して室外側から鍵で施錠すればよい。室内側にツマミ１４が無いので、室外側から針金等を差し込んでツマミ１４を回転させるような不正解錠方法では解錠させることはできない。
【００５３】
さらに、本実施例のサムターン装置２は、ツマミ１４をサムターン軸２２に取り付けたまま外出した場合でも、針金等によるサムターン回しが防止される。すなわち、サムターン軸２２に形成された凹部３５の周囲は円錐台形状のテーパ穴３３が形成されており、ツマミ１４の凸部３４より幅広に形成されている。従って、ツマミ１４を手で回転させる場合のように、周方向に的確に回転させる場合には、ツマミ１４の凸部３４とサムターン軸２２の凹部３５の係合によりツマミ１４の回転に伴ってサムターン軸２２も回転する。
【００５４】
しかしながら、針金等による不正解錠の場合、ツマミ１４には周方向以外の力、例えば上下方向に力がかかる。この場合、ツマミ１４の先端部は、サムターン軸２２のテーパ穴３３において傾倒して、ツマミ１４はサムターン軸２２から脱落してしまうので、不正解錠が防止される。しかも、サムターン軸２２の基端部が円錐台形状のテーパ穴３３とされることで、針金等が引っ掛かる角部がないので、より一層不正解錠が防止される。その一方、円錐台形状のテーパ穴３３としていることで、サムターン軸２２へのツマミ１４の取り付けが容易である。
【００５５】
そして、本実施例では、ツマミ１４とサムターン軸２２とはボールチェーン２３により互いに連結されている。従って、外出時や就寝時にツマミ１４を取り外しておいても、また不正解錠しようとした時に外れても、ツマミ１４を紛失することはなく、災害時などの緊急時に対応することが可能とされる。
【００５６】
さらに、ボールチェーン２３が接続される保持部材４２，５２は、サムターン軸２２およびツマミ１４に対して相対回転可能とされるので、ボールチェーン２３がサムターン軸２２やツマミ１４に巻き付いたり、絡まったりすることがないので邪魔にならない。
【００５７】
なお、本発明のサムターン装置は、上記実施例の構成に限らず、適宜変更可能である。
例えば、サムターン軸２２の基端部に設ける吸着部材を上記実施例では、ネジ３６としたが金属板などとしても構わない。また、サムターン軸２２側に磁石を設ける一方、ツマミ１４側にネジなどの吸着部材を設けるようにしても構わない。さらに、ツマミ１４とサムターン軸２２の両方に磁石を設けて互いに吸着し合うようにしても構わない。
また、ツマミ１４およびサムターン軸２２に形成される凸部３４および凹部３５の形状は特に問わない。加えて、ツマミ１４とサムターン軸２２とをボールチェーン２３で連結したが、その他のチェーンや紐等を使用してもよい。
【図面の簡単な説明】
【００５８】
【図１】本発明のサムターン装置を備えた扉錠の一実施例の縦断面図である。
【図２】図１の扉錠の平面図である。
【図３】本実施例のサムターン装置を示す斜視図であり、装置本体からツマミを取り外した状態を示している。
【図４】本実施例の装置本体からツマミを取り外した状態を示す図であり、（ａ）は正面図、（ｂ）は右側面図であり装置本体を縦断面にして示している。
【図５】本実施例の装置本体にツマミを取り付けた状態の右側面図である。
【図６】本実施例のサムターン軸を示す図であり、（ａ）は正面図、（ｂ）は右側面図、（ｃ）はその一部断面図である。
【図７】本実施例のサムターン胴へのサムターン軸の保持構造を示す分解断面図である。
【図８】本実施例の保持部材を示す図であり、（ａ）は正面図、（ｂ）はＡ−Ａ断面図、（ｃ）は底面図である。
【図９】本実施例のサムターン軸の基端部とツマミ先端部とを示す部分断面図であり、（ａ）はツマミをサムターン軸から取り外した状態、（ｂ）はツマミをサムターン軸へ取り付けた状態を示している。
【図１０】本実施例のツマミの操作部を示す図であり、（ａ）は正面図、（ｂ）は右側面図、（ｃ）は背面図、（ｄ）は底面図、（ｅ）はＢ−Ｂ断面図、（ｆ）はＣ−Ｃ断面図である。
【図１１】本実施例のカバーを示す図であり、（ａ）は正面図、（ｂ）は右側面図である。
【図１２】本実施例のマグネットホルダーを示す図であり、（ａ）は正面図、（ｂ）は左側面図、（ｃ）は右側面図、（ｄ）は平面図である。
【図１３】本実施例のツマミ側保持部材を示す図であり、（ａ）は正面図、（ｂ）は左側面図、（ｃ）は底面図である。
【符号の説明】
【００５９】
１  扉錠
２  サムターン装置
１４  ツマミ
２２  サムターン軸
２３  ボールチェーン
３４  凸部
３５  凹部
３６  ネジ
３７  磁石
４２  保持部材
５２  保持部材
【図１】
2005315032.tif 000003
【図２】
2005315032.tif 000004
【図３】
2005315032.tif 000005
【図４】
2005315032.tif 000006
【図５】
2005315032.tif 000007
【図６】
2005315032.tif 000008
【図７】
2005315032.tif 000009
【図８】
2005315032.tif 000010
【図９】
2005315032.tif 000011
【図１０】
2005315032.tif 000012
【図１１】
2005315032.tif 000013
【図１２】
2005315032.tif 000014
【図１３】
2005315032.tif 000015